(57)【特許請求の範囲】
【請求項１】
無線アクセスネットワークにおいて、少なくとも移動端末加入者サービスを実施する無線基地局装置に対する負荷動作評価を行うためのユーザデータを発生するユーザデータ負荷試験装置であって、前記無線アクセスネットワークの各ベアラに応じた呼処理シーケンスを任意タイミングで実行する手段を有することを特徴とするユーザデータ負荷試験装置。
【請求項２】
前記呼処理シーケンスを実行する手段は、複数のベアラ各々に応じた呼処理シーケンスを同時に実行することを特徴とする請求項１記載のユーザデータ負荷試験装置。
【請求項３】
前記呼処理シーケンスを実行する手段は、前記複数のベアラ各々に応じた呼処理シーケンスの実行間隔と各ベアラの発生比とを少なくとも設定自在としたことを特徴とする請求項２記載のユーザデータ負荷試験装置。
【請求項４】
通信レート可変のベアラにおいて各過度的な通信レート及び設定通信レート継続時間を任意設定して前記通信レートの揺らぎ評価を実施する手段を含むことを特徴とする請求項１から請求項３のいずれか記載のユーザデータ負荷試験装置。
【請求項５】
前記揺らぎ評価を実施する手段は、複数のベアラ各々に応じた揺らぎ評価を同時に実行することを特徴とする請求項４記載のユーザデータ負荷試験装置。
【請求項６】
前記呼処理シーケンスと前記揺らぎ評価とを各々独立に行うことを特徴とする請求項４または請求項５記載のユーザデータ負荷試験装置。
【請求項７】
前記呼処理シーケンスと前記揺らぎ評価とを連携して行うことを特徴とする請求項４または請求項５記載のユーザデータ負荷試験装置。
【発明の詳細な説明】
【０００１】
【発明の属する技術分野】
本発明はユーザデータ負荷試験装置に関し、特に移動端末加入者サービスを実施する無線基地局装置等の負荷動作評価を行う試験装置に関する。
【０００２】
【従来の技術】
従来、無線基地局装置等のノード装置においては、ＡＴＭ（Ａｓｙｎｃｈｒｏｎｏｕｓ  Ｔｒａｎｓｆｅｒ  Ｍｏｄｅ：非同期転送モード）交換機に接続され、移動端末加入者サービスを実施している。
【０００３】
上記のノード装置に対して負荷動作評価を行う試験装置では、一般的に、擬似呼試験装置をノード装置に接続し、各サービスベアラ形態に応じた呼処理シグナリング通信試験を実施している。
【０００４】
【発明が解決しようとする課題】
上述した従来の試験装置では、擬似呼試験装置を使用して負荷試験を実施する場合、例えば各１ユーザ毎の呼発生間隔を任意に変更することによって、各トラフィックモデルに沿った呼量を変化させるシグナリング通信試験が可能である。
【０００５】
上記の擬似呼発生方式に関しては様々な提案がなされているが、いずれも一般のＡＴＭ網に適用する擬似呼発生方式であり、また単に負荷データを発生させることを主目的としている。
【０００６】
しかしながら、現在、第三世代携帯仕様（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）に準拠したノードＢ（Ｎｏｄｅ−Ｂ）装置を評価する負荷試験装置（負荷試験方法）はない。
【０００７】
また、単に負荷データを生成するのではなく、３ＧＰＰシステムで運用される各サービス（ベアラ）を意識した負荷試験も実現されていない。さらに、呼処理シグナリングとユーザデータとの負荷連携動作も実現されていない。
【０００８】
そこで、本発明の目的は上記の問題点を解消し、単に負荷データを生成するのではなく、３ＧＰＰシステムで運用される各サービス（ベアラ）に適応する負荷試験を実現することができるユーザデータ負荷試験装置を提供することにある。
【０００９】
さらに、本発明の他の目的は、呼処理シグナリングとユーザデータとの負荷連携動作を実現することができるユーザデータ負荷試験装置を提供することにある。
【００１０】
【課題を解決するための手段】
本発明によるユーザデータ負荷試験装置は、無線アクセスネットワークにおいて、少なくとも移動端末加入者サービスを実施する無線基地局装置に対する負荷動作評価を行うためのユーザデータを発生するユーザデータ負荷試験装置であって、前記無線アクセスネットワークの各ベアラに応じた呼処理シーケンスを任意タイミングで実行する手段を備えている。
【００１１】
本発明による他のユーザデータ負荷試験装置は、上記の構成のほかに、通信レート可変のベアラにおいて各過度的な通信レート及び設定通信レート継続時間を任意設定して前記通信レートの揺らぎ評価を実施する手段を具備している。
【００１２】
本発明による別のユーザデータ負荷試験装置は、上記の構成において、前記呼処理シーケンスと前記揺らぎ評価とを連携して行っている。
【００１３】
すなわち、本発明のユーザデータ負荷試験装置は、個々の１ユーザ毎の呼処理シーケンスに連動し、ＰＮパターン（Ｐｓｅｕｄｏ  Ｎｏｉｓｅ  ｐａｔｔｅｒｎ）等を挿入したユーザデータを発生させ、加えてパケットサービス等、特にそのデータ通信量を任意に変動させながらユーザデータ通信評価を合わせて実施している。
【００１４】
例えば、あるサービスベアラ呼量の１日のモデルを参考にした時、呼量が増加するのが、例えば（＊Ａ）及び（＊Ｂ）の２つのポイントである場合には、その２つのポイントの呼量を増加させるために呼発生間隔を短く設定し、擬似シグナリングモデルを実現している。また、同時に各呼毎のユーザデータトラフィックも任意に設定可能としているので、呼量が増加するが、ユーザデータ通信量が小さい（増減が少ない）（＊Ａ）のポイント、呼量が増加しかつユーザデータ通信量の増減も大きい（＊Ｂ）のポイントのような状態を考慮した試験環境の構築が実現可能となる。
【００１５】
（＊Ａ）のポイントでは、例えば、加入者がインタネット等に接続するが、ファイルのダウンロード等をあまり行わない状態が考えられる。また、（＊Ｂ）のポイントでは、例えば、加入者がファイルのダウンロード等を頻繁に行う状態が考えられる。
【００１６】
一方、本発明のユーザデータ負荷試験装置では、呼処理シグナリング動作に同期して、各サービスベアラのユーザデータ通信も同時に行うことによって、より実動作に近い試験環境を構築し、かつユーザデータ導通評価も合わせて行っている。
【００１７】
また、本発明のユーザデータ負荷試験装置では、パケット通信に代表される同一呼内でユーザデータのトラフィック量が増減するサービスに着目し、同様にユーザデータの通信負荷状態を任意に変動させることによって、ユーザデータトラフィックの揺らぎ評価も合わせて可能にしている。
【００１８】
【発明の実施の形態】
次に、本発明の実施例について図面を参照して説明する。図１は本発明の一実施例によるユーザデータ負荷試験の対象となるシステム構成を示すブロック図である。図１において、無線アクセスネットワークはコアネットワーク（ＣｏｒｅＮｅｔｗｏｒｋ）１と、無線ネットワークサブシステム（ＲＮＳ：ＲａｄｉｏＮｅｔｗｏｒｋ  Ｓｕｂｓｙｓｔｅｍ）２−１，２−２からなるＵＴＲＡＮ［ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）  Ｔｅｒｒｅｓｔｒｉａｌ  Ｒａｄｉｏ  Ａｃｃｅｓｓ  Ｎｅｔｗｏｒｋ］と、ＵＥ（Ｕｓｅｒ  Ｅｑｕｉｐｍｅｎｔ）５とから構成されている。
【００１９】
無線ネットワークサブシステム２−１，２−２はそれぞれ、無線ネットワーク制御部（ＲＮＣ：Ｒａｄｉｏ  Ｎｅｔｗｏｒｋ  Ｃｏｎｔｒｏｌｌｅｒ）３−１，３−２と、ノードＢ（Ｎｏｄｅ  Ｂ）装置４１−１，４２−１，４１−２，４２−２とから構成され、交換機ネットワークであるコアネットワーク１とＩu インタフェースを介して接続されている。
【００２０】
無線ネットワーク制御部３−１，３−２は相互にＩurインタフェースを介して接続され、無線リソースの管理、ノードＢ装置４１−１，４２−１，４１−２，４２−２の制御等を行い、例えばハンドオーバの制御を行う。
【００２１】
ノードＢ装置４１−１，４２−１，４１−２，４２−２はＩubインタフェースを介して無線ネットワーク制御部３−１，３−２に接続され、Ｕu インタフェースを介してＵＥ５に接続されている。また、ノードＢ装置４１−１，４２−１，４１−２，４２−２は無線送受信を行う論理的なノードを意味し、具体的には無線基地局装置である。
【００２２】
図２は図１に示す無線アクセスネットワークの動作を説明するための図である。図２において、ユーザ端末８ａ，８ｂ間ではユーザデータの送受信が行われ、ＵＥ５の呼管理部５ａと交換装置７の呼管理部７ａとの間ではＵＴＲＡＮ６を介してユーザデータ通信が行われている。また、ＵＴＲＡＮ６内では無線ネットワーク制御部３の無線制御部３ａとノードＢ装置４の無線制御部５ａとの間で呼処理シグナリングが行われている。
【００２３】
図３は本発明の一実施例によるユーザデータ負荷試験装置の構成を示すブロック図である。図３において、負荷試験装置９は無線制御部９ａと、ユーザデータ生成／検査部９ｂとを備え、Ｉubインタフェースを介してノードＢ装置４に接続されている。尚、負荷試験装置９は上記の無線アクセスネットワークにおいて、少なくとも移動端末加入者サービスを実施するノードＢ装置４に対する負荷動作評価を行うためのユーザデータを発生する装置である。
【００２４】
この場合、無線制御部９ａはノードＢ装置４の無線制御部４ａとの間で呼処理シグナリングを行い、ユーザデータ生成／検査部９ｂはノードＢ装置４を介してＵＥ５との間でユーザデータの送受信を行う。
【００２５】
負荷試験装置９は３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）システムのノードＢ装置４を試験対象とした負荷試験を行っており、単に負荷データを生成するのみでなく、３ＧＰＰシステムで運用される各サービス（ベアラ）に応じた負荷試験を行っている。また、負荷試験装置９は呼処理シグナリングとユーザデータとの負荷連携動作も行っている。
【００２６】
図４は本発明の一実施例によるベアラシグナリング呼量の任意設定、スケジューリングを示す図であり、図５は本発明の一実施例による複数ベアラのシグナリング呼量の任意設定、スケジューリング、及びそれらの同時動作を示す図である。図６（ａ）は本発明の一実施例による揺らぎ設定におけるスケジュール化なしの場合の動作を示す図であり、図６（ｂ）は本発明の一実施例による揺らぎ設定におけるスケジュール化実施時の動作を示す図である。
【００２７】
図７は本発明の一実施例によるユーザデータ通信量の任意設定、スケジューリングを示す図であり、図８は本発明の一実施例による複数ベアラのユーザデータ通信量の任意設定、スケジューリングを示す図である。図９は本発明の一実施例によるベアラシグナリング呼量とユーザデータ通信量との同時動作を示す図であり、図１０は図９の（＊Ａ）のユーザデータトラフィック量を示す図であり、図１１は図９の（＊Ｂ）のユーザデータトラフィック量を示す図である。これら図３〜図１１を参照して本発明の一実施例によるユーザデータ負荷試験装置の動作について説明する。
【００２８】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）システム以外でも同様であるが、実運用では、音声／非制限／パケット等の様々なベアラを同時サポートしている中で、ノードＢ装置４の負荷試験条件を実施する場合に、各ベアラ単位でのトラフィックモデル考察、複数ベアラ同時動作（各ベアラの発生比、適用ベアラ選択）を考慮した内容が今後不可欠であり、本実施例はそれらを実現可能としている。
【００２９】
例えば、地域Ａでは音声／パケットサービスの使用率がほとんどで、かつ発生比が１：３である場合、負荷試験装置９は試験適用ベアラとして音声／パケットを選択し、その発生比を１：３に設定して負荷試験を実施する。
【００３０】
また、地域Ｂでは音声／非制限／パケットサービスが使用され、かつ発生比が２：３：５である場合、負荷試験装置９は試験適用ベアラとして音声／非制限／パケットを選択し、その発生比を２：３：５に設定して負荷試験を実施する。
【００３１】
この場合、負荷試験装置９では各ベアラ毎に有意となる呼処理シーケンスに使用されるパラメータ及びその組合せに応じて試験が必要となる。その試験とは、例えば、使用セクタに応じた負荷試験や使用コードの組合せを意識した負荷試験等がある。
【００３２】
上述したように、呼処理シグナリングが無線ネットワーク制御部３との間で行われ、ユーザデータ通信が交換装置７との間で行われるというように、呼処理シグナリングとユーザデータ通信とを管理するノードは、基本的に異なっている。これに対して、評価対象となるノードＢ装置４は上記の両方の機能を受け持っている。
【００３３】
したがって、ノードＢ装置４の負荷試験を実施する上で、両方の機能を連携動作させることは評価として重要であり、シグナリング負荷試験のユーザデータＱｏＳ（Ｑｕａｌｉｔｙ  ｏｆ  Ｓｅｒｖｉｃｅ）評価等、実動作に沿った負荷試験評価が可能となる。
【００３４】
また、負荷試験装置９では無線制御部９ａ及びユーザデータ生成／検査部９ｂによって、ノードＢ装置４に対する呼処理シグナリング及びユーザデータ通信の負荷を独立に設定することができる。
【００３５】
負荷試験装置９における試験機能は、シグナリング呼量の負荷評価機能と、ユーザデータ通信量の負荷評価機能と、それら両方を同時に評価する同時評価機能とに大別される。
【００３６】
まず、負荷試験装置９におけるシグナリング呼量の負荷評価機能について図４を参照して説明する。負荷試験装置９は各ベアラに応じた呼処理シーケンスを任意タイミングで実行することで、各呼量に応じたノードＢ装置４の評価を実現することができる。
【００３７】
そのために、負荷試験装置９は３ＧＰＰベアラ（仕様）に応じた負荷発生を実現する。この場合、負荷試験装置９は各ベアラに応じた呼処理シーケンスを作成／任意実行するとともに、呼処理シーケンスを実行する上で、各ベアラに特化したメッセージのパラメータを任意作成／送信可能とした状態で負荷試験を実施する。
【００３８】
負荷試験装置９はノードＢ装置４を評価するために、各呼処理メッセージで使用される３ＧＰＰ準拠の無線処理に関するパラメータをテーブル管理し、各呼処理メッセージに使用される送信メッセージ内にテーブル管理値を付与する。このテーブル管理値は、１呼処理シーケンス（１ユーザ）毎に管理可能とする。
【００３９】
上記のパラメータとしては、セクタ識別、無線コード識別（Ｓｃｒａｍｂｌｉｎｇ  Ｃｏｄｅ，Ｃｈａｎｎｅｌｉｓａｔｉｏｎ  Ｃｏｄｅ）、無線送受信タイミング識別（Ｆｒａｍｅ  Ｏｆｆｓｅｔ，Ｃｈｉｐ  Ｏｆｆｓｅｔ）、ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］ユーザデータＡＴＭリンク識別［ＶＰＩ（Ｖｉｒｔｕａｌ  Ｐａｔｈ  Ｉｄｅｎｔｉｆｉｅｒ）／ＶＣＩ（Ｖｉｒｔｕａｌ  Ｃｈａｎｎｅｌ  Ｉｄｅｎｔｉｆｉｅｒ）／ＣＩＤ（ＣｈａｎｎｅｌＩｄｅｎｔｉｆｉｅｒ）］がある。
【００４０】
負荷試験装置９はベアラに応じたシグナリング呼量の負荷試験を実施する場合、図４に示すように、ＢＨＣＡ（Ｂｕｓｙ  Ｈｏｕｒ  Ｃａｌｌ  Ａｔｔｅｍｐｔ：最繁時発呼数）値となる各Ｃａｌｌ（各ユーザ）単位毎にメッセージパラメータの任意設定（設定Ａ，設定Ｂ等）を行う。
【００４１】
ノードＢ装置４に対する負荷試験を評価する際に、各メッセージの持つパラメータ及びその組合せにはそれぞれ意味があり、かつベアラ単位でも異なるが、本実施例によってその負荷試験が可能となる。
【００４２】
次に、負荷試験装置９における複数ベアラシグナリング呼量の負荷評価機能について図５及び図６を参照して説明する。負荷試験装置９は上記の３ＧＰＰベアラ（仕様）に応じた負荷発生の実現を複数ベアラ呼処理シーケンスで実施する。
【００４３】
その際、負荷試験装置９は試験機上で呼種（ベアラ）毎の呼処理シーケンスを作成／実行する。また、負荷試験装置９はその実行間隔を任意設定し、各ベアラの発生比等を設定可能とする（図５のベアラ１、ベアラ２、ベアラ３参照）。
【００４４】
負荷試験装置９は、図６に示すように、各ベアラの呼処理シーケンス毎に、シーケンス保留時間（実行期間時間）及びシーケンス実行間隔を設定する。この場合、同時接続ユーザ数Ｎは、
Ｎ＝（シーケンス保留時間）／（シーケンス実行間隔）
という式で算出可能となるので、各ベアラ発生比に応じて、各ベアラ毎に同時接続ユーザ数Ｎを決定して負荷試験を行う。
【００４５】
この場合、図６（ａ）に示すように、既存のスケジュール化なしであれば、上記の式によって最大ユーザ数［図６（ａ）の場合、６００］が求まり、図６（ｂ）に示すように、スケジュール化実施であれば、１スケジュール化設定時間［＝１ｍｉｎ（６０ｓｅｃ）］の同時接続ユーザ数Ｎが求まる。図６（ｂ）においては、シーケンス保留時間が６０ｓｅｃで、シーケンス実行間隔が５０ｍｓ，１００ｍｓ，２００ｍｓ，６０ｓである。
【００４６】
これによって、負荷試験装置９はトラフィックモデル（ベアラ比、提供ベアラ種別）等を参考にし、適用した複数ベアラ同時動作負荷試験を実施することができる。
【００４７】
続いて、負荷試験装置９におけるユーザデータ通信の負荷評価機能について図７を参照して説明する。負荷試験装置９はパケットサービス等の通信レート可変のベアラを想定し、データ通信レートの揺らぎ評価を実施する。
【００４８】
その場合、負荷試験装置９はパケットサービスの各過度的な通信レート及び設定通信レート継続時間を任意設定し（図７の設定Ａ、設定Ｂ参照）、データ通信レートの揺らぎ評価を実施する。
【００４９】
負荷試験装置９は各ベアラでサポートされる最大通信レートや設定通信レート種別を考慮し、適用するユーザデータ通信モデル等を参考にして、レート変更揺らぎシミュレーションを実施する。
【００５０】
パケットサービスはユーザ端末の使用状況によってサービス使用中の通信レートが大きく異なる。その状況を擬似した負荷試験は今後必要不可欠であり、例えば１日を基準とした通信量モデルや過度的な通信量の増減を擬似した試験環境を構築することが可能となる。
【００５１】
また、負荷試験装置９は送信ユーザデータに、固定パターンやＰＮパターンを挿入し、かつ受信側でそのデータの解析機能を設けることによって、負荷試験実施時のユーザデータ導通試験が実施可能となる。その際、ユーザデータ導通試験はノードＢ装置４での折り返し、あるいはＵＥ５での折り返しの条件の下で実施される。これによって、負荷試験実施時のユーザデータ導通試験が可能となる。
【００５２】
負荷試験装置９における複数ベアラユーザデータ通信の負荷評価について図８を参照して説明する。負荷試験装置９は各ベアラに応じて（図８のベアラ１、ベアラ２、ベアラ３参照）、上記のユーザデータ通信の負荷評価を複数のベアラに対して同時実施する。
【００５３】
パケットサービスにおいてはサポートされる最大通信レート等によってベアラ種別が異なり、実運用形態に沿った各ベアラ毎のユーザデータ通信モデルが必要とされ、そのモデルに応じた負荷試験が今後必要となるが、本実施例ではその負荷試験を可能としている。
【００５４】
負荷試験装置９におけるシグナリング呼量の負荷評価機能について図９〜図１１を参照して説明する。負荷試験装置９は無線制御部９ａとユーザデータ生成／検査部９ｂとを連携させることで、各ベアラに応じた呼処理シーケンスの負荷試験と、対応ベアラとなるユーザデータ負荷試験とを連動させる。
【００５５】
例えば、図９に示すように、あるサービスベアラ呼量の１日のモデルを参考にした時、呼量が増加するのが（＊Ａ）及び（＊Ｂ）の２つのポイントである場合には、その２つのポイントの呼量を増加させるために呼発生間隔を短く設定し、擬似シグナリングモデルを実現している。また、同時に各呼毎のユーザデータトラフィックも任意に設定可能としているので、呼量が増加するが、ユーザデータ通信量が小さい（増減が少ない）（＊Ａ）のポイント、呼量が増加しかつユーザデータ通信量の増減も大きい（＊Ｂ）のポイントのような状態を考慮した試験環境の構築が実現可能となる。
【００５６】
（＊Ａ）のポイントでは、図１０に示すように、例えば、端末使用者がインタネット等に接続するが、コンテンツからファイルのダウンロード等をあまり行わない状態が考えられる。また、（＊Ｂ）のポイントでは、図１１に示すように、例えば、加入者がファイルのダウンロード等を頻繁に行う状態が考えられる。
【００５７】
図１２は本発明の他の実施例によるユーザデータ負荷試験装置の構成を示すブロック図である。図１２において、負荷試験装置９はＩubインタフェースを介してノードＢ装置４に接続されている。
【００５８】
負荷試験装置９はユーザデータ生成／検査部９ｂと、呼処理シグナリング発生部９ｃとを備え、呼処理シグナリング発生部９ｃからユーザデータ生成／検査部９ｂに対して起動／停止制御が行われる。ノードＢ装置４は無線制御部４ａと、無線／有線スイッチ（ＳＷ）４ｂとを備え、無線制御部４ａから無線／有線スイッチ４ｂに対してパス設定が行われる。
【００５９】
負荷試験装置９及びノードＢ装置４においては、呼処理シグナリング発生部９ｃと無線制御部４ａとの間で呼処理シーケンスが行われ、ユーザデータ生成／検査部９ｂと無線／有線スイッチ４ｂとの間でユーザデータ通信が行われる。
【００６０】
図１３は図１２に示す呼処理シグナリング発生部９ｃの構成を示すブロック図である。図１３において、呼処理シグナリング発生部９ｃは実行ユーザ分のパラメータを格納するパラメータテーブル９１ｃと、実行ユーザ分だけ配設された呼処理（各１ユーザ分）シーケンス実行部９２ｃとを備えている。
【００６１】
パラメータテーブル９１ｃはノードＢ装置４を評価するために、各呼処理メッセージで使用される３ＧＰＰ準拠の無線処理に関するパラメータを管理し、各呼処理メッセージに使用される送信メッセージ内にテーブル管理値を付与する。
【００６２】
呼処理シーケンス実行部９２ｃは上述したシグナリング呼量の負荷試験及びユーザデータ負荷試験を連携させるために、ユーザデータ通信の起動／停止機能を設けており、実施の呼処理シーケンスを参考にして、ユーザデータの通信を起動／停止させる。
【００６３】
この場合、呼処理シーケンス実行部９２ｃにおける呼処理シーケンス、及びユーザデータ生成／検査部９ｂにおけるユーザデータ発生ともに、ベアラ種別を識別しているので、ベアラ種別に対応するもの同士を連携させることができる。これによって、シグナリング呼量は呼処理シーケンスの実行間隔によって規定され、連携されるユーザデータ側は任意揺らぎ設定可能とさせている。
【００６４】
このように、本実施例では異なるノードで管理されるシグナリング制御と、ユーザデータ通信の連携負荷試験とを行うことができるので、この機能はシグナリング制御とユーザデータ通信との両方の機能を受け持っているノードＢ装置４の評価の上で有意となる。
【００６５】
また、本実施例ではシグナリング制御とユーザデータ通信の負荷設定とを独立に行うことができるので、実際のサービス動作形態にあわせた負荷試験を実施することができる。
【００６６】
【発明の効果】
以上説明したように本発明のユーザデータ負荷試験装置は、無線アクセスネットワークにおいて、少なくとも移動端末加入者サービスを実施する無線基地局装置に対する負荷動作評価を行うためのユーザデータを発生するユーザデータ負荷試験装置において、無線アクセスネットワークの各ベアラに応じた呼処理シーケンスを任意タイミングで実行する手段を備えることによって、単に負荷データを生成するのではなく、３ＧＰＰシステムで運用される各サービス（ベアラ）に適応する負荷試験を実現することができるという効果が得られる。
【００６７】
また、本発明のユーザデータ負荷試験装置は、上記の構成のほかに、通信レート可変のベアラにおいて各過度的な通信レート及び設定通信レート継続時間を任意設定して通信レートの揺らぎ評価を実施する手段を備えることによって、単に負荷データを生成するのではなく、３ＧＰＰシステムで運用される各サービス（ベアラ）に適応する負荷試験を実現することができるという効果が得られる。
【００６８】
さらに、本発明の別のユーザデータ負荷試験装置は、上記の構成において、呼処理シーケンスと揺らぎ評価とを連携して行うことによって、呼処理シグナリングとユーザデータとの負荷連携動作を実現することができるという効果が得られる。
【図面の簡単な説明】
【図１】本発明の一実施例によるユーザデータ負荷試験の対象となるシステム構成を示すブロック図である。
【図２】図１に示す無線アクセスネットワークの動作を説明するための図である。
【図３】本発明の一実施例によるユーザデータ負荷試験装置の構成を示すブロック図である。
【図４】本発明の一実施例によるベアラシグナリング呼量の任意設定、スケジューリングを示す図である。
【図５】本発明の一実施例による複数ベアラのシグナリング呼量の任意設定、スケジューリング、及びそれらの同時動作を示す図である。
【図６】本発明の一実施例によるユーザデータ通信量の任意設定、スケジューリングを示す図である。
【図７】本発明の一実施例による複数ベアラのユーザデータ通信量の任意設定、スケジューリングを示す図である。
【図８】（ａ）は本発明の一実施例による揺らぎ設定におけるスケジュール化なしの場合の動作を示す図、（ｂ）は本発明の一実施例による揺らぎ設定におけるスケジュール化実施時の動作を示す図である。
【図９】本発明の一実施例によるベアラシグナリング呼量とユーザデータ通信量との同時動作を示す図である。
【図１０】図９の（＊Ａ）のユーザデータトラフィック量を示す図である。
【図１１】図９の（＊Ｂ）のユーザデータトラフィック量を示す図である。
【図１２】本発明の他の実施例によるユーザデータ負荷試験装置の構成を示すブロック図である。
【図１３】図１２に示す呼処理シグナリング発生部の構成を示すブロック図である。
【符号の説明】
１  コアネットワーク
２−１，２−２  無線ネットワークサブシステム
３−１，３−２  無線ネットワーク制御部
３ａ，４ａ  無線制御部
４，４１−１，４２−１，
４１−２，４２−２  ノードＢ装置
４ｂ  無線／有線スイッチ
５  ＵＥ
５ａ，７ａ  呼管理部
６  ＵＴＲＡＮ
７  交換装置
８ａ，８ｂ  ユーザ端末
９  負荷試験装置
９ａ  無線制御部
９ｂ  ユーザデータ生成／検査部
９ｃ  呼処理シグナリング発生部
９１ｃ  パラメータテーブル
９２ｃ  呼処理シーケンス実行部
【図１】
0003908548.tif 000002
【図２】
0003908548.tif 000003
【図３】
0003908548.tif 000004
【図４】
0003908548.tif 000005
【図５】
0003908548.tif 000006
【図６】
0003908548.tif 000007
【図７】
0003908548.tif 000008
【図８】
0003908548.tif 000009
【図９】
0003908548.tif 000010
【図１０】
0003908548.tif 000011
【図１１】
0003908548.tif 000012
【図１２】
0003908548.tif 000013
【図１３】
0003908548.tif 000014